(57)【要約】【課題】本発明は通帳ページ捲り動作の設定方法及び装置に関し、通帳ページ捲り失敗による装置故障に至るまでの時間を延ばすことができる通帳ページ捲り動作の設定方法及び装置を提供することを目的としている。【解決手段】複数の選択肢の中から１つの動作シーケンスを読み出し（ステップ１）、その動作シーケンスに従ったページ捲り動作を行ない（ステップ２）、装置状態が悪化したかどうかをチェックし（ステップ３）、装置状態が悪化した場合には、次の動作シーケンスを選択する（ステップ４）ように構成する。動作シーケンスを変えて捲り動作を行わせることで、装置を長く使用することができる。【選択図】　　　図１
2004082364.tif 000002
【特許請求の範囲】
【請求項１】
複数の選択肢の中から１つの動作シーケンスを読み出し（ステップ１）、
その動作シーケンスに従ったページ捲り動作を行ない（ステップ２）、
装置状態が悪化したかどうかをチェックし（ステップ３）、
装置状態が悪化した場合には、次の動作シーケンスを選択する（ステップ４）、
ことを特徴とする通帳ページ捲り動作の設定方法。
【請求項２】
通帳ページ捲り機構の保守、点検後に、装置状態が良好になったことを動作結果から判断すると、動作シーケンスを初期状態に戻すようにしたことを特徴とする請求項１記載の通帳ページ捲り動作の設定方法。
【請求項３】
動作シーケンス、捲りパターン、動作シーケンス移行の判定値を組み込みプログラム以外からダウンロードできるようにしたことを特徴とする請求項１記載の通帳ページ捲り動作の設定方法。
【請求項４】
複数の選択肢の中から１つの動作シーケンスを読み出す読出手段と、
その動作シーケンスに従ったページ捲り動作を行なうページ捲り手段と、
装置状態が悪化したかどうかをチェックするチェック手段と、
装置状態が悪化した場合には、次の動作シーケンスを選択する選択手段と、
を具備することを特徴とする通帳ページ捲り装置。
【発明の詳細な説明】
【０００１】
【発明の属する技術分野】
本発明は通帳ページ捲り動作の設定方法及び装置に関する。銀行営業店端末装置、自動預金受払い機（ＡＴＭ）、通帳記帳機、通帳発行機等においては、その内部にページ捲り機構が備わっている。このページ捲り機構は、通帳のページを機械的に捲るものであるため、永年使用していると、劣化により動作が不安定になる。そこで、この種の装置のページ捲り機構をできるだけ長くもたせるための工夫が必要となってくる。
【０００２】
【従来の技術】
銀行営業店端末装置、自動預金受払い機、通帳記帳機等は、通帳のページ捲り機構を備えており、通帳ページ捲り用件が発生すると、ページ捲り動作を行なう。この場合において、ページ捲りが失敗した場合、予め指定された指定回数だけ再捲り（以下リトライという）を行なう。このリトライの動作シーケンスは、ローラ汚れ、劣化等でページ捲り機構の状態が悪化しても、同じ動作シーケンスを用いている。従って、通帳ページ捲りが成功する確率は低くなり、時間もかかっている。
【０００３】
【発明が解決しようとする課題】
このリトライ動作で指定回数リトライしてもページ捲りに失敗した場合、装置故障となり、係員が手を介さないＡＴＭ等では以後の稼働はできなくなる。
【０００４】
装置の点検、保守が行なわれ、通帳ページ捲り動作が良好になった場合でも、そのページ捲りの動作シーケンスは、動作不良時の動作シーケンスと同じである。また、通帳ページ捲りパターンは、プログラム組み込みされていることが多く、一度設定すると、プログラムを入れ替えるまで変更することができない。
【０００５】
本発明はこのような課題に鑑みてなされたものであって、通帳ページ捲り失敗による装置故障に至るまでの時間を延ばすことができる通帳ページ捲り動作の設定方法及び装置を提供することを目的としている。
【０００６】
【課題を解決するための手段】
（１）図１は本発明の原理を示すフローチャートである。本発明は、複数の選択肢の中から１つの動作シーケンスを読み出し（ステップ１）、その動作シーケンスに従ったページ捲り動作を行ない（ステップ２）、装置状態が悪化したかどうかをチェックし（ステップ３）、装置状態が悪化した場合には、次の動作シーケンスを選択する（ステップ４）、ことを特徴とする。
【０００７】
このようにすれば、装置状態が悪化した場合には、次の動作シーケンスを選択するようにして、ページ捲り機構の正常動作状態が可能な限り長くなるようにした。これにより、通帳ページ捲り失敗による装置故障に至るまでの時間を延ばすことができる。
【０００８】
本発明は、ページ捲りを多数回行なったことによる捲りローラの汚れ、劣化等で通帳ページ捲り失敗が原因で、装置故障となり、装置の稼働ができなくなってしまうことを防止するため、リトライの発生状態から装置状態を判断し、動作シーケンスを変えるものである。このことによって、装置状態の変化によって、装置可動ができなくなってしまうまでの時間を可能な限り長くするための制御方法である。
（２）請求項２記載の発明は、通帳ページ捲り機構の保守、点検後に、装置状態が良好になったことを動作結果から判断すると、動作シーケンスを初期状態に戻すようにしたことを特徴とする。
【０００９】
このように構成すると、装置の保守、点検が行なわれて装置状態が良好になった場合に、初期状態のシーケンスに戻し、これにより、装置が新しく稼働する時の状態に戻すことができ、以降の装置の動作寿命を長くすることができる。
（３）請求項３記載の発明は、動作シーケンス、捲りパターン、動作シーケンス移行の判定値を組み込みプログラム以外からダウンロードできるようにしたことを特徴とする。
【００１０】
このように構成すれば、通帳ページ捲りパターンも装置管理アプリケーション・プログラム（上位）や、装置専用管理ツールプログラム等からページ捲り装置にダウンロードし、装置内に設定することにより、通帳ページ捲りパターンの変更の自由度を上げることができる。
（４）請求項４記載の発明は、複数の選択肢の中から１つの動作シーケンスを読み出す読出手段と、その動作シーケンスに従ったページ捲り動作を行なうページ捲り手段と、装置状態が悪化したかどうかをチェックするチェック手段と、装置状態が悪化した場合には、次の動作シーケンスを選択する選択手段と、を具備することを特徴とする。
【００１１】
このように構成することにより、通帳ページ捲り失敗による装置故障に至るまでの時間を延ばすことができ、ページ捲り動作の長寿命化を図ったページ捲り装置を提供することができる。
【００１２】
以上、説明した本発明の全体的な動作は、以下の通りである。
初回に通帳ページ捲りが失敗した場合、リトライを何回行なうかの指定（動作シーケンス）や、通帳ページ捲りに必要な通帳ページ捲り開始通帳停止位置、通帳ページ膨らまし量、通帳ページ撥ね上げ量等の情報を装置状態に応じて組み合わせたもの（捲りパターン）、動作シーケンスを移行させるための判定値（結果判定回数（通帳の捲り回数）及び動作シーケンス移行判定値（最終リトライでの動作実行率））を、装置管理アプリケーション・プログラム（上位）や装置専用管理ツールプログラム等からダウンロードして装置内に設定する。
【００１３】
【発明の実施の形態】
以下、図面を参照して本発明の実施の形態例を詳細に説明する。
図２は本発明の一実施の形態例の動作を示すフローチャートである。処理の主体は、ページ捲り装置内に設けられている制御部（図示せず）である。先ず、通帳ページ捲り装置で使用する通帳ページ捲り動作シーケンスを読み込む（Ｓ１）。通帳ページ捲り装置内には記憶部があり、複数のページ捲りのための動作シーケンスがプログラムとして記憶されている。この記憶部から、適当な１つの動作シーケンスを読み込む。
【００１４】
次に、ステップＳ１で読み込んだ動作シーケンスを用いて通帳ページ捲り動作を行なう（Ｓ２）。次に、ステップＳ２で実行した通帳ページ捲り動作の終了状態（例えば、初回で成功したのか、リトライ何回目で終了したのか）を、ページ捲り装置の記憶部内の通帳ページ捲り結果集計記憶部に保存する（Ｓ３）。図３はリトライ回数が３回で結果判定回数が３０回の場合の集計の状態を示している（詳細後述）。
【００１５】
次に、結果判定回数≦総捲り回数であるかどうかをチェックする（Ｓ４）。具体的には、通帳ページ捲り動作シーケンスの妥当性を判定する回数が、通帳ページ捲り実行総回数に達しているかを判定するものである。ここで、総捲り回数は、予め定められた基準値であり、結果判定回数は結果判定を行なう毎に１ずつ更新される値である。ここで、結果判定回数≦総捲り回数でない場合、つまり、結果判定回数＞総捲り回数となる場合には、まだ、通帳ページ捲り動作シーケンスの妥当性を判定する回数に達していないので、通帳総捲り回数を１だけ更新して（Ｓ５）終了する。
【００１６】
結果判定回数が総捲り回数に達した場合には、初回又はリトライ１回目までに成功した回数とリトライ２回目以降まで実施された回数を判定回数分集計して実行率を算出する（Ｓ６）。
【００１７】
図３はリトライ回数が３回で結果判定回数が３０回の場合の集計状態を示す図である。図において、ａは総捲り回数で予め設定される値である。ここでは、３０に設定されている場合を示している。ｂは初回のみ実行の場合を、ｃはリトライ１回目実行の場合を、ｄはリトライ２回目実行の場合を、ｅはリトライ３回目実行の場合をそれぞれ示している。ここで、“１”は実行（ページ捲り成功）、“０”は未実行又は通過を示す。
【００１８】
例えば、総捲り回数１の場合は、リトライ１回目でページ捲りが成功しており、総捲り回数２の場合には、初回でページ捲りが成功している。総捲り回数１２の場合は、リトライ２回目でページ捲りが成功している。ｆは成功した場合の集計を、ｇは実行率を示している。それぞれの場合の集計を見ると、初回で実行した回数は８、リトライ１回目で実行した回数は５、リトライ２回目で実行した回数は１１、リトライ３回目で実行した回数は６である。
【００１９】
次に、実行率の算出について説明する。実行率を算出する場合、初回とリトライ１回目までは１つのブロックとして考える。初回実行回数が８、リトライ１回目実行回数が５であるので、総実行回数は１３である。この１３の総捲り回数３０に対する割合は（１３／３０）×１００＝４３（％）となる。次に、リトライ３回目における実行率を算出する。実行回数は６であるので、総捲り回数３０に対する割合は（６／３０）×１００＝２０（％）となる。なお、リトライ２回目についてはここでは考慮していない。
【００２０】
本発明では、初回とリトライ１回目の実行率が１００％になるとシーケンスパターンの戻し判定の対象となる。次に、リトライ３回目の実行率が５０％以上の場合、次の動作シーケンスへの変更となる。初回とリトライ１回目の実行率が１００％の場合には、ページの捲り動作が新品の状態を保っているということであるので、新品の場合に設定されている標準動作シーケンスパターンを用いることによって、後の処理を効率的に用いることができる。また、リトライ３回目の実行率が５０％以上になるということは、ページがリトライ３回目でやっと捲れるようになったということであり、装置故障に近づきつつあることを示している。そこで、この場合には、次の動作シーケンスに変えてやるのである。動作シーケンスを変えることにより、ページ捲り機構はページ捲り動作の確実性を取り戻すことができるようになる。
【００２１】
再び、図２の説明に戻る。ステップＳ６でリトライ回数の集計が終了すると、初回とリトライ１回目までのリトライ実行率（成功率）が１００％であるかどうかをチェックする（Ｓ７）。リトライ実行率が１００％であった場合には、現在使用している動作シーケンスが標準動作パターンであるかどうかチェックする（Ｓ８）。標準動作パターンであった場合には、そのまま終了する。
【００２２】
ステップＳ８において、動作シーケンスパターンが標準のものでなかった場合、標準動作シーケンスを現在使用している動作シーケンスパターンに設定し（Ｓ９）、総捲り回数を０にクリアして終了する（Ｓ１２）。ステップＳ８において動作シーケンスが標準動作シーケンスであった場合、処理は終了する。ステップＳ７において、実行率（成功率）が１００％でない場合には、最終リトライ（例えば、リトライ回数が３回指定されている場合は、リトライ３回目が最終リトライになる）の実行率が動作シーケンス移行のための判定値以上になったかどうかチェックする（Ｓ１０）。実行率が判定値以下の場合には、通帳ページ捲り実行総回数を１だけ更新して（Ｓ５）、処理を終了する。
【００２３】
ステップＳ１０において、最終リトライ実行回数が判定値以上になった場合には、動作シーケンスに次の動作シーケンスを設定し（Ｓ１１）、総捲り回数を０にクリアして処理を終了する。ここで、最終リトライ回数が判定値以上になったということはページ捲り失敗の度合いが大きくなった（装置状態が悪化した）ということであるから、動作シーケンスを次のシーケンスに移行させることにより、使用できる期間を更に延ばすことができるようになる。
【００２４】
本発明は、図２に示す動作シーケンス図に従い、通帳ページ捲りの結果集計を基に装置状態を把握し、事前に登録してある動作シーケンスから以後に使用する通帳ページ捲り動作シーケンスを自動的に設定するものである。
【００２５】
ここで、使用する動作シーケンス、捲りパターン、動作シーケンス移行判定値は、装置可動状態において外部からダウンロード可能にするか、直接プログラムに組み込むかは利用者が選択可能である。このように構成すれば、通帳ページ捲りパターンも装置管理アプリケーション・プログラム（上位）や、装置専用管理ツールプログラム等からページ捲り装置にダウンロードし、装置内に設定することにより、通帳ページ捲りパターンの変更の自由度を上げることができる。
【００２６】
次に、本発明で用いる通帳ページ捲り装置について説明する。図４は通帳減ページ捲りの説明図である。図において、１は通帳、２は該通帳１を搬送する搬送面、３は通帳の搬送と捲り動作を行なう第１の捲り／搬送ローラ、４は通帳の搬送と捲り動作を行なう第２の捲り／搬送ローラである。５は通帳１が通過したことを検出するセンサである。
【００２７】
６は膨らました後、撥ね上げられたページ、７は捲りのために膨らまされたページである。８は通帳ページ捲り開始位置である。この通帳ページ捲り開始位置は、通帳１の通過をセンサ５で検出してから、ステップモータ（図示せず）のＡステップ目に設定される。このように構成された装置の動作を説明すれば、以下の通りである。
【００２８】
搬送面２の左方向から右方向（通帳搬送方向）に通帳１が搬送されてくる。第１及び第２の捲り／搬送ローラ３、４は通帳１が左から右に搬送されるように通帳１を押し当てする。この場合、捲り／搬送ローラ３、４は反時計方向に回転する。センサ５はこの通帳１の先端が通過したことを検出すると、通帳ページ捲り装置の制御部（図示せず）に通知する。制御部は、この通帳１の先端がセンサ５に検出されてからステップモータのＡステップをカウントし、Ａステップになったら搬送／捲りローラ３、４の動作を停止し、通帳１の搬送を停止させる。この時の位置８が通帳捲りの開始位置になる。
【００２９】
次に、制御部は第１の捲り／搬送ローラ３を通帳ページ面に押し当て図中矢印方向（時計方向）に回転させる。この結果、ページは７に示すように膨らむ。制御部は、この膨らみ量をステップモータの回転カウントステップ、又は膨らみ量検出センサ（図示せず）により検出する。
【００３０】
膨らみが所定量に達したことを検知した制御部は、更に捲り／搬送ローラ３を押し当て回転動作を続け、しまいにはページは６に示すように撥ね上げられ、１ページ捲れたことになる。このページが撥ね上げられたことはセンサ（図示せず）により、検出され、制御部に通知される。このような動作を複数回続けると、ページが減少する方向にページ捲りが行われることになる。撥ね上げ完了後は、制御部は通帳搬送方向に通帳１全体を搬送させ、通帳ページ捲りが完了する。
【００３１】
図５は通帳増ページ捲りの説明図である。図４と同一のものは、同一の符号を付して示す。通帳１が搬送されてきたことをセンサ５で検出してから、通帳ページ捲り開始位置８まで搬送する動作は図４と同じである。ページが増加する方向にページを捲る場合、図４の場合と異なり、第２の捲り／搬送ローラ４を捲りローラとして用いる。
【００３２】
その際、捲り／搬送ローラ４をページに押し当て、図中矢印方向（反時計方向）に回転させる。この結果、ページは９に示すように膨らみ、更に捲り／搬送ローラ４を押し当て回転動作を続けると、しまいにはページは１０に示すように撥ね上げられ、１ページ捲れたことになる。このような動作を複数回続けると、ページが増加する方向にページ捲りが行われることになる。撥ね上げ完了後は、通帳搬送方向とは逆方向に通帳１全体を搬送させ、通帳ページ捲りが完了する。
【００３３】
また、本発明によれば、通帳ページ捲り機構の保守、点検後に、装置状態が良好になったことを動作結果から判断すると、動作シーケンスを初期状態に戻すようにすることができる。これにより、装置の保守、点検が行なわれて装置状態が良好になった場合に、初期状態のシーケンスに戻し、装置が新しく稼働する時の状態に戻すことができ、以降の装置の動作寿命を長くすることができる。
【００３４】
次に、本発明の通帳ページ捲り動作シーケンスの自動設定機能を通帳ページ捲り機能に取り入れた場合の実施の形態例について説明する。図６は通帳ページ捲り動作シーケンスの実施例を示す図である。ここでは、動作条件として、リトライ回数が３回、動作シーケンスが４種類、捲りパターンが７パターン、動作シーケンス移行判定値が５０％以上として登録してある場合について説明する。制御の主体は装置の制御部である。
１．装置稼働開始及び点検等において、動作シーケンスが標準動作シーケンスから通帳ページ捲り動作シーケンス自動設定機能が稼働開始する。
２．標準動作シーケンスでは、初回（標準捲りパターン）→リトライ１（捲りパターン１）→リトライ２（捲りパターン２）→リトライ３（捲りパターン３）の順に実行される。例えば、初回でページ捲りが成功すると、リトライ１以降は動作する必要がなくなる。初回でページ捲りが失敗し、リトライ１で成功した場合、リトライ２以降は動作する必要がなくなる。次々にページ捲りに失敗して、リトライ３回目でもページ捲りに失敗した場合には、装置故障となる。装置故障になったら、もう動作できないので、保守者による保守・修理が行われることになる。
３．通帳ページ捲り総回数が結果判定回数行われると、図２について前述したように、リトライ回数集計が行なわれ、リトライ３の実行率が５０％以上の場合、動作シーケンス２が設定され、通帳ページ捲り総回数に０が設定される。通帳ページ捲り総回数を０にリセットするのは、新たな動作シーケンスに基づき、新たなページ捲り動作が開始されるためである。
【００３５】
以後、動作シーケンス２に移行し、初回（標準捲りパターン）→リトライ１（捲りパターン１）→リトライ２（捲りパターン３）→リトライ３（捲りパターン４）の順に実行される。標準動作シーケンスの場合と比較すると、リトライ２回目以降の捲りパターンは７パターンある内の中から所定の捲りパターンが選択される。
４．通帳ページ捲り総回数が結果判定回数行なわれると、リトライ回数集計される（図３参照）。そして、リトライ回数集計されたリトライ３の実行率が５０％以上の場合、動作シーケンスとして動作シーケンス３が設定され、通帳ページ捲り総回数に０が設定される。以後、動作シーケンス３により、初回（標準捲りパターン）→リトライ１（捲りパターン１）→リトライ２（捲りパターン４）→リトライ３（捲りパターン５）の順に実行される。
５．通帳ページ捲り総回数が結果判定数行なわれると、リトライ回数集計され、初回と１の実行率が１００％の場合、動作シーケンスとして標準動作シーケンスが設定され、通帳ページ捲り総回数に０が設定される。以後、標準動作シーケンスで通帳ページ捲りが実行される（２．項に戻る）。
６．通帳ページ捲り総回数が結果判定回数行なわれると、リトライ回数が集計され、リトライ３の実行率が５０％以上の場合、動作シーケンスとして動作シーケンス４が設定され、通帳ページ捲り総回数に０が設定される。
【００３６】
以後、動作シーケンス４が実行され、初回（標準ページ捲りパターン）→リトライ１（捲りパターン１）→リトライ２（捲りパターン５）→リトライ３（捲りパターン６）の順に実行される。ここで、リトライ回数に応じて捲りパターンを異ならしめているのは、種々のリトライパターンを行わせて、ページ捲り装置の寿命を可能な限り長くするためである。
７．通帳ページ捲り総回数が結果判定回数行なわれると、リトライ回数集計され、初回とリトライ１の実行率が１００％の場合、動作シーケンスに表示動作シーケンスが設定され、通帳ページ捲り総回数に０が設定される。以後、標準動作シーケンスで通帳ページ捲りが実行される（２．項に戻る）。
８．通帳ページ捲り総回数が結果判定回数行なわれると、リトライ回数が集計され、リトライ３の実行率が５０％以上の場合、装置管理システムに対して装置点検要求等を通知する。
９．通帳ページ捲り総回数が結果判定回数行なわれると、リトライ回数集計され、初回とリトライ１の実行率が１００％の場合、動作シーケンスに標準動作シーケンスが設定され、通帳のページ捲り総回数に０が設定される。以後、標準動作シーケンスで通帳ページ捲りが実行される（２．項に戻る）。
【００３７】
図７は捲りパターン設定例を示す図である。前述したように、パターンは７種類あり、標準パターン〜捲りパターン６までである。図には、各パターン毎に開始位置（停止位置）、膨らまし量、撥ねあげ量とが、モータのステップ数として与えられている。例えば、標準パターンでは、開始位置がステップ数４２５、膨らまし量が２８ステップ、撥ねあげ量が２０００ステップである。捲りパターン３では、開始位置がステップ数５０５ステップ、膨らまし量が７６ステップ、撥ねあげ量が２０００ステップである。このように、各開始位置におけるステップ数、膨らまし量のステップ数、撥ねあげ量のステップ数は予め記憶部（メモリ）に記憶しておく。そして、ページ捲り動作になったら、メモリから読み出して使用する。
【００３８】
本発明によれば、前述したような通帳ページ捲り動作を持つ通帳ページ捲り装置を実現することができる。この通帳ページ捲り装置の場合、ハードウェア的な構成は、従来の装置の構成と同じであるが、ソフトウェアの構成を変えることにより、本発明に係る通帳ページ捲り装置とすることができる。
【００３９】
上述の実施の形態例では、リトライ回数が３回、動作シーケンスが４種類、捲りパターンが７パターン、動作シーケンス移行判定値が５０％以上の場合を例にとって説明した。しかしながら、本発明はこれに限るものではなく、それぞれを任意の値に設定したものについて適用することができる。
【００４０】
以上、説明したように、本発明によれば、通帳ページ捲り機能を有する装置において、多数回行われた通帳ページ捲り動作にて変化した装置状態からでも最適な通帳ページ捲り動作シーケンスパターンを設定できることによって、通帳ページ捲り失敗による装置故障に至るまでの時間を延ばすことができ、保守、点検にかかる費用の削減と、稼働装置の信頼性を向上することができる。また、最適な通帳ページ捲り動作シーケンスパターンにより通帳ページ捲り失敗が減ることにより、装置１取引時間の短縮につながり装置稼働率の向上にも寄与する。
【００４１】
【発明の効果】
以上説明したように、本発明によれば、以下の効果が得られる。
（１）請求項１記載の発明によれば、装置状態が悪化した場合には、次の動作シーケンスを選択するようにして、ページ捲り機構の正常動作状態が可能な限り長くなるようにした。これにより、通帳ページ捲り失敗による装置故障に至るまでの時間を延ばすことができる。
（２）請求項２記載の発明によれば、装置の保守、点検が行なわれて装置状態が良好になった場合に、初期状態のシーケンスに戻し、これにより、装置が新しく稼働する時の状態に戻すことができ、以降の装置の動作寿命を長くすることができる。
（３）請求項３記載の発明によれば、通帳ページ捲りパターンも装置管理アプリケーション・プログラム（上位）や、装置専用管理ツールプログラム等からページ捲り装置にダウンロードし、装置内に設定することにより、通帳ページ捲りパターンの変更の自由度を上げることができる。
（４）請求項４記載の発明によれば、通帳ページ捲り失敗による装置故障に至るまでの時間を延ばすことができ、ページ捲り動作の長寿命化を図ったページ捲り装置を提供することができる。
【００４２】
このように、本発明によれば、通帳ページ捲り失敗による装置故障に至るまでの時間を延ばすことができる通帳ページ捲り動作の設定方法及び装置を提供することができる。
【図面の簡単な説明】
【図１】本発明の原理を示すフローチャートである。
【図２】本発明の一実施の形態例の動作を示すフローチャートである。
【図３】リトライ回数が３回で結果判定回数が３０回の場合の集計状態を示す図である。
【図４】通帳増ページ捲りの説明図である。
【図５】通帳減ページ捲りの説明図である。
【図６】通帳ページ捲り動作シーケンスの実施例を示す図である。
【図７】捲りパターン設定例を示す図である。
【符号の説明】
１　通帳
２　搬送面
３　捲り／搬送ローラ
４　捲り／搬送ローラ
５　センサ
６　撥ねあげられたページ
７　捲りのため膨らましたページ
８　通帳ページ捲り開始位置
【図１】
2004082364.tif 000003
【図２】
2004082364.tif 000004
【図３】
2004082364.tif 000005
【図４】
2004082364.tif 000006
【図５】
2004082364.tif 000007
【図６】
2004082364.tif 000008
【図７】
2004082364.tif 000009